(57)【特許請求の範囲】
【請求項１】
水槽の壁部の上端縁に取り付けられ、かつ濾過材が収容されるフィルターケーシングと、水が水槽内から前記フィルターケーシング内に流入してそのフィルターケーシング内を通って水槽に戻る循環流路と、前記循環流路上に設置される循環ポンプとを備え、前記循環ポンプの駆動によって前記循環流路に沿って水が流動するようにした水槽用フィルターであって、
前記循環流路における前記循環ポンプよりも下流側に流路切替手段が設けられ、
前記流路切替手段は、前記循環流路に対応して配置される流入口および循環用出口と、前記循環流路から離間した位置に配置される排水用出口とを有し、
前記流路切替手段は、前記流入口から流入した水を前記循環用出口から流出させて前記循環流路に沿って循環させる循環状態と、前記流入口から流入した水を前記排水用出口から排出する排水状態との間で切替操作可能に構成され、
前記流路切替手段の排水用出口が水槽の水面上に配置されていることを特徴とする水槽用フィルター。
【請求項２】
水槽の壁部の上端縁に取り付けられ、かつ濾過材が収容されるフィルターケーシングと、水が水槽内から前記フィルターケーシング内に流入してそのフィルターケーシング内を通って水槽に戻る循環流路と、前記循環流路上に設置される循環ポンプとを備え、前記循環ポンプの駆動によって前記循環流路に沿って水が流動するようにした水槽用フィルターであって、
前記循環流路における前記循環ポンプよりも下流側に流路切替手段が設けられ、
前記流路切替手段は、前記循環流路に対応して配置される流入口および循環用出口と、前記循環流路から離間した位置に配置される排水用出口とを有し、
前記流路切替手段は、前記流入口から流入した水を前記循環用出口から流出させて前記循環流路に沿って循環させる循環状態と、前記流入口から流入した水を前記排水用出口から排出する排水状態との間で切替操作可能に構成され、
前記流路切替手段の排水用出口が平面視において前記フィルターケーシング内に配置されて、前記排水用出口から流出した水が前記フィルターケーシング内に回収されるように構成されていることを特徴とする水槽用フィルター。
【請求項３】
前記循環流路のうち水槽内の水が前記フィルターケーシング内に至るまでの流路を導入流路としたとき、
前記流路切替手段は前記導入流路の下流側端部に配置されている請求項１または２に記載の水槽用フィルター。
【請求項４】
前記流路切替手段の排水用出口に、排水ホースの端部を連結可能なパイプ状ジョイントが設けられている請求項１〜３のいずれか１項に記載の水槽用フィルター。
【請求項５】
前記フィルターケーシングに掛止片が設けられ、
その掛止片が水槽の壁部の上端縁に掛止することにより、前記フィルターケーシングが水槽の外壁面または内壁面に沿うように配置されている請求項１〜４のいずれか１項に記載の水槽用フィルター。
【請求項６】
一端が水槽の水面下に配置され、他端が前記フィルターケーシング内に配置された導入パイプを備え、
前記導入パイプの他端に前記循環ポンプの吸引口が連結されるとともに、その循環ポンプの吐出口に前記流路切替手段の流入口が連結されている請求項５に記載の水槽用フィルター。
【請求項７】
前記フィルターケーシングが水槽の壁部の上端縁に載置される態様に取り付けられている請求項１〜４のいずれか１項に記載の水槽用フィルター。
【請求項８】
一端が水槽内に配置され、他端が前記フィルターケーシング内に配置された導入パイプを備え、
前記導入パイプの一端に前記循環ポンプの吐出口が連結されるとともに、その循環ポンプの少なくとも吸引口が水槽の水面下に配置され、
前記導入パイプの他端に前記流路切替手段の流入口が連結されている請求項７に記載の水槽用フィルター。
【発明の詳細な説明】
【技術分野】
【０００１】
この発明は、一般家庭等において熱帯魚や水草等を飼育栽培しつつ観賞する際に用いられる観賞用水槽に設置される水槽用フィルターに関する。
【背景技術】
【０００２】
一般家庭において観賞用水槽によって熱帯魚等の観賞魚や水草等の観葉植物（観賞植物）を飼育栽培しつつ観賞するような場合、良好な飼育環境を確保するためには、定期的にあるいは水質が悪化した際に水槽内の水を入れ替える必要がある。このような水槽の水替えを行うに際して水槽内の水を排出するには一般的に、市販の汎用ホース（チューブ）や水槽掃除用ホース（チューブ）を用いて行うようにしている。例えば市販の汎用ホースを用いる場合には、ホースの一端側を水槽内における水中に浸漬するとともに、他端側を水槽外部における排水箇所（排水口やバケツ等）に配置しておき、サイフォン現象を利用して ホースの一端から吸い込まれた水槽内の水をホースを介して排水箇所に排出するようにしている。また水槽掃除用ホースにおいては、サイフォン現象を発動するための手動ポンプが取り付けられたものや、電力で水を流動させる電動ポンプが取り付けられたもの等が周知であるが、手動式および電動式のいずれの水槽掃除用ホースにおいても一端側（吸引口）から吸い込まれた水を他端側（吐出口）から排出するようになっている。
【０００３】
一方、下記特許文献１，２には、観賞用水槽に設置される水槽専用のオーバーフロー式排水装置が開示されている。この排水装置は、逆Ｕ字状のパイプを備えており、一端側（吸込口）が水槽内壁面に沿って水中内に設置され、上端曲成部が水槽壁の上端をまたがるように配置され、他端側（排出口）が水槽外壁面に沿って外部に設置されている。さらにパイプの上端部には呼び水を行うための手動ポンプが取り付けられている。そして手動ポンプを操作してパイプ内に呼び水を行ってサイフォン現象を発動させることにより、吸込口から吸い込んだ水をパイプの排出口から排出するようになっている。
【先行技術文献】
【特許文献】
【０００４】
【特許文献１】特許第４３４４０００号
【特許文献２】特開２００７−２３６３１５号
【発明の概要】
【発明が解決しようとする課題】
【０００５】
しかしながら、市販の汎用ホースや水槽掃除用ホースを用いて水槽内の水を排出する場合には、ホースの端部が確実に水面下に配置されるようにホースの端部を比較的水槽内の深い位置まで投入するのが通例であるため、水槽の底面上に敷き詰められた小石、砂利、砂等の敷き材や、水槽内に設置された水草、人工プランツ等の装飾部品を水と共に吸い込んで排出してしまうおそれがあった。そうすると、水槽内のレイアウトが崩れて変化するため、面倒なことに排水後（水替え後）に水槽内のレイアウトを再調整する必要があり、排水処理が困難であるという課題があった。さらに汎用ホースで排水する場合、サイフォン現象を発動する際に呼び水等の煩雑な操作を行う必要があり、この点においても排水処理が困難になるという課題があった。
【０００６】
また水槽専用のオーバーフロー式排水装置は、水槽の壁部に取り付けるものであるため、水槽に排水装置を取り付けるための新たな取付スペースを確保する必要がある。このため例えば水槽にフィルター、照明装置、ヒーター等の他の機器を設置していると、排水装置取付用の新たな取付スペースを確保することが困難になる。換言すると、他の機器に加えて排水機構も設置するとなると、水槽回りが複雑な構造となり、美観上好ましくないという課題があった。
【０００７】
この発明は、上記の課題に鑑みてなされたものであり、排水処理を簡単に行えるとともに、排水機構設置用のスペースを実質的に必要とせず水槽回りを簡素な構造に仕上げることができる水槽用フィルターを提供することを目的とする。
【課題を解決するための手段】
【０００８】
上記目的を達成するため、本発明は以下の構成を要旨とするものである。
【０００９】
［１］水槽に支持され、かつ濾過材が収容されるフィルターケーシングと、水が水槽内から前記フィルターケーシング内に流入してそのフィルターケーシング内を通って水槽に戻る循環流路と、前記循環流路上に設置される循環ポンプとを備え、前記循環ポンプの駆動によって前記循環流路に沿って水が流動するようにした水槽用フィルターであって、
前記循環流路における前記循環ポンプよりも下流側に流路切替手段が設けられ、
前記流路切替手段は、前記循環流路に対応して配置される流入口および循環用出口と、水中以外の位置において前記循環流路から離間した位置に配置される排水用出口とを有し、
前記流路切替手段は、前記流入口から流入した水を前記循環用出口から流出させて前記循環流路に沿って循環させる循環状態と、前記流入口から流入した水を前記排水用出口から排出する排水状態との間で切替操作可能に構成されていることを特徴とする水槽用フィルター。
【００１０】
［２］前記流路切替手段の排水用出口が前記フィルターケーシングの水面上または水槽の水面上に配置されている前項１に記載の水槽用フィルター。
【００１１】
［３］前記循環流路のうち水槽内の水が前記フィルターケーシング内に至るまでの流路を導入流路としたとき、
前記流路切替手段は前記導入流路の下流側端部に配置されている前項１または２に記載の水槽用フィルター。
【００１２】
［４］前記流路切替手段の排水用出口に、排水ホースの端部を連結可能なパイプ状ジョイントが設けられている前項１〜３のいずれか１項に記載の水槽用フィルター。
【００１３】
［５］前記フィルターケーシングに掛止片が設けられ、
その掛止片が水槽の壁部に掛止することにより、前記フィルターケーシングが水槽の外壁面または内壁面に沿うように配置されている前項１〜４のいずれか１項に記載の水槽用フィルター。
【００１４】
［６］一端が水槽の水面下に配置され、他端が前記フィルターケーシング内に配置された導入パイプを備え、
前記導入パイプの他端に前記循環ポンプの吸引口が連結されるとともに、その循環ポンプの吐出口に前記流路切替手段の流入口が連結されている前項５に記載の水槽用フィルター。
【００１５】
［７］前記フィルターケーシングが水槽の上端に載置される態様に取り付けられている前項１〜４のいずれか１項に記載の水槽用フィルター。
【００１６】
［８］一端が水槽内に配置され、他端が前記フィルターケーシング内に配置された導入パイプを備え、
前記導入パイプの一端に前記循環ポンプの吐出口が連結されるとともに、その循環ポンプの少なくとも吸引口が水槽の水面下に配置され、
前記導入パイプの他端に前記流路切替手段の流入口が連結されている前項７に記載の水槽用フィルター。
【発明の効果】
【００１７】
発明［１］の水槽用フィルターによれば、流路切替手段を切替操作するだけで簡単に、水槽内の水を流路切替手段の排水用出口から排出することができる。さらに循環流路上に流路切替手段を取り付けるだけのものであるため、排水専用の排水装置等を取り付ける必要がなくその分、水槽回りを簡素な構造に仕上げることができる。
【００１８】
発明［２］の水槽用フィルターによれば、濾過処理中に謝って排水処理に切り替えてしまったとしても、流路切替手段の排出用出口から排出される水は、フィルターケーシングや水槽内に回収されるため、水槽外部に水が散乱してしまうような不具合を確実に防止することができる。
【００１９】
発明［３］の水槽用フィルターによれば、循環ポンプから流路切替手段までの流路を閉管路によって構成することができるため、循環ポンプの駆動力によって水を効率良くスムーズに排出することができる。
【００２０】
発明［４］の水槽用フィルターによれば、流路切替手段の排水用出口に排水ホースを簡単かつ確実に連結できるため、排水時に排水ホースを介して水を所望の排水箇所に簡単かつ確実に排出することができる。
【００２１】
発明［５］［６］によれば、水槽壁部に掛止される外掛け型の水槽用フィルターを提供することができる。
【００２２】
発明［７］［８］の水槽用フィルターによれば、水槽上端に載置されるように取り付けられる上部設置型の水槽用フィルターを提供することができる。
【図面の簡単な説明】
【００２３】
【図１】図１はこの発明の第１実施形態である水槽用フィルターを示す斜視図である。
【図２】図２は第１実施形態の水槽用フィルターにおける濾過材周辺を示す側面断面図である。
【図３】図３は第１実施形態の水槽用フィルターにおける流路切替パイプ周辺を示す側面断面図である。
【図４】図４は第１実施形態の水槽用フィルターに適用された流路切替パイプを示す斜視図である。
【図５】図５は第１実施形態の流路切替パイプを分解して示す斜視図である。
【図６】図６は第１実施形態の流路切替パイプを示す概略断面図であって、図（ａ）は循環状態での概略断面図、図（ｂ）は排水状態での概略断面図である。
【図７】図７はこの発明の第２実施形態である水槽用フィルターを示す斜視図である。
【図８】図８は第２実施形態の水槽用フィルターに適用された流路切替パイプを示す概略断面図であって、図（ａ）は循環状態での概略断面図、図（ｂ）は排水状態での概略断面図である。
【図９】図９はこの発明の第３実施形態である水槽用フィルターを示す斜視図である。
【図１０】図１０は第３実施形態である水槽用フィルターを示す正面断面図である。
【図１１】図１１この発明の第３実施形態である水槽用フィルターを示す正面断面図である。
【図１２】図１２はこの発明の水槽用フィルターに適用可能な第１変形例の流路切替パイプを示す概略断面図であって、図（ａ）は循環状態での概略断面図、図（ｂ）は排水状態での概略断面図である。
【図１３】図１３はこの発明の水槽用フィルターに適用可能な第２変形例の流路切替パイプを示す概略断面図であって、図（ａ）は循環状態での概略断面図、図（ｂ）は排水状態での概略断面図である。
【図１４】図１４はこの発明の水槽用フィルターに適用可能な第３変形例の流路切替パイプを示す概略断面図であって、図（ａ）は循環状態での概略断面図、図（ｂ）は排水状態での概略断面図である。
【図１５】図１５はこの発明の水槽用フィルターに適用可能な第４変形例の流路切替パイプを示す概略断面図であって、図（ａ）は循環状態での概略断面図、図（ｂ）は排水状態での概略断面図である。
【図１６】図１６はこの発明の水槽用フィルターに適用可能な第５変形例の流路切替パイプを示す概略図である。
【発明を実施するための形態】
【００２４】
＜第１実施形態＞
図１はこの発明の第１実施形態である水槽用フィルターＦ１を示す斜視図である。同図に示すようにこの水槽用フィルターＦ１は、観賞魚用水槽Ａの側壁に支持される外掛けタイプのフィルター、いわゆる外掛けフィルターと称されるものである。
【００２５】
このフィルターＦ１は、観賞魚用水槽Ａの周側壁上端部の外壁面に沿うように配置されるフィルターケーシング１と、フィルターケーシング１内に設置される電動式循環ポンプ２と、水槽Ａ内の水をフィルターケーシング１内に導入するための導入パイプ３と、流路切替手段としての流路切替パイプＰ１とを基本的な構成要素として備えている。
【００２６】
フィルターケーシング１は、上端が開放された略ボックス型の形状を有し、かつ平面視において略矩形状に形成されている。
【００２７】
図２は水槽用フィルターＦ１における濾過材周辺を示す側面断面図である。図１および図２に示すようにフィルターケーシング１の周側壁のうち水槽Ａに対応する側壁（背面壁）の上端縁には切欠部１１が形成されている。さらにその切欠部１１の切欠縁部に水槽Ａ側に向けて突出し、かつ下方に湾曲するように形成された掛止片１２が一体に形成されている。
【００２８】
そして掛止片１２が水槽Ａの一側壁の上端縁に掛止されることによって、フィルターケーシング１が水槽Ａの一側壁に支持されて水槽Ａの一側壁上端部の外面（外壁面）に沿って配置されている。
【００２９】
またフィルターケーシング１内には、切欠部１１に対応して濾過材１５が配置されている。そして後述するように循環ポンプ２によってフィルターケーシング１内に汲み上げられた水槽Ａ内の水Ｗは、濾過材１５を通過して濾過された後、切欠部１１からオーバーフローして水槽Ａ内に戻されるようになっている。
【００３０】
図３は水槽用フィルターＦ１における流路切替パイプ周辺を示す側面断面図である。図１および図３に示すように導入パイプ３は、逆Ｕ字状ないし下向きコ字状の形状を有しており、上端の折り返し部が水槽Ａの一側壁およびフィルターケーシング１の背面壁を乗り越えるように配置されている。そして導入パイプ３の一端開口（導入口）が水槽Ａの水面下に配置されるとともに、他端開口（導出口）がフィルターケーシング１の内部に配置されている。
【００３１】
フィルターケーシング１内には、電動式の循環ポンプ２が配置されている。この循環ポンプ２の吸引口２１には上記導入パイプ３の他端開口（導出口）に連結固定されている。そして循環ポンプ２を駆動すると吸引口２１が負圧となって導入パイプ３内も負圧となる。これにより導入パイプ３内にその一端開口（導入口）から水槽Ａ内の水Ｗが吸い込まれて、その水Ｗが循環ポンプ２に吸引口２１から吸い込まれて、吐出口２２から吐出されるようになっている。
【００３２】
図４は水槽用フィルターＦ１に適用された流路切替パイプＰ１を示す斜視図、図５は流路切替パイプＰ１を分解して示す斜視図、図６は流路切替パイプＰ１を示す概略断面図である。図４〜図６に示すように循環ポンプＰ１の吐出口２２に連結固定される流路切替パイプＰ１は、アウターパイプ４１と、インナーパイプ５１とを備えた二重管構造を有している。
【００３３】
アウターパイプ４１の両端は開口されており、その一端開口にパイプ状ジョイント４２１が軸心方向に沿って外方に突出するように取り付けられている。本実施形態においてはこのパイプ状ジョイント４２１のパイプ孔およびアウターパイプの一端開口によって、アウターパイプ４１の内外間を連通する流入口４２が構成されている。
【００３４】
またアウターパイプ４１の周壁には、軸心方向に並び、かつ径方向外側に向けてそれぞれ突出するようにパイプ状ジョイント４３１，４４１が取り付けられている。アウターパイプ４１の周壁にはパイプ状ジョイント４３１，４４１の各パイプ孔に対応して貫通孔が形成されている。そして本実施形態においてはパイプ状ジョイント４３１のパイプ孔および一方の貫通孔によって、アウターパイプ４１の内外間を連通する循環用出口４３が構成されるとともに、パイプ状ジョイント４４１のパイプ孔および他方の貫通孔によって、アウターパイプ４１の内外間を連通する排水用出口４４が構成されている。
【００３５】
なおパイプ状ジョイント４２１，４３１，４４１は、必要な箇所に取り付けられていれば良く、例えば排水用出口４４だけに取り付けるようにしても良い。さらにパイプ状ジョイント４２１，４３１，４４１は、先端に向かうに従って段階的に径寸法が小さくなるように形成しておけば、管径の異なる複数種のパイプやホース等を確実に連結することができる。
【００３６】
インナーパイプ５１は、その一端が開口されるとともに、他端側に大径の操作部５６が取り付けられている。インナーパイプ５１の他端側は操作部５６によって閉塞されている。インナーパイプ５１の周壁には、その周壁を貫通する態様に循環用開口５３および排水用開口５４が形成されている。循環用開口５３および排水用開口５４はアウターパイプ４１の循環用出口４３および排水用出口４４にそれぞれ対応するとともに、両開口５３，５４は互いに１８０°位相をずらせて配置されている。
【００３７】
なおインナーパイプ５１における循環用開口５３の一端側と、両開口５３，５４間と、排水用開口５４の他端側とに水密用Ｏリング５５がそれぞれ巻回されている。
【００３８】
このインナーパイプ５１がアウターパイプ４１内にアウターパイプ４１に対し周方向（軸回り方向）に回動自在に挿入配置されて、流路切替パイプＰ１が形成されている。
【００３９】
この流路切替パイプＰ１においては、アウターパイプ４１の流入口４２は、インナーパイプ５１の一端開口に対応して配置され、この流入口４２および一端開口を介して、インナーパイプ５１の内部が外部に連通されている。
【００４０】
さらに本実施形態においては、流路切替パイプＰ１におけるインナーパイプ５１をその操作部５６をつまんで回転操作することによって、インナーパイプ５１の循環用開口５３をアウターパイプ４１の循環用出口４３に対応させて配置し、かつインナーパイプ５１の周壁によってアウターパイプ５１の排水用出口４４を閉塞した状態（循環状態）と、インナーパイプ５１の周壁によってアウターパイプ４１の循環用出口４３を閉塞し、かつインナーパイプ５１の排水用開口５４をアウターパイプ４１の排水用出口４４に対応させて配置した状態（排水状態）との間で切替自在に構成されている。
【００４１】
この構成の流路切替パイプＰ１において循環状態では、アウターパイプ４１の流入口４２から水Ｗが流入されると、その水Ｗはインナーパイプ５１内に流入されるとともに、インナーパイプ５１内に流入された水Ｗは循環用開口５３および循環用出口４３を介して外部に流出されるようになっている。さらに排水状態では、アウターパイプ４１の流入口４２からインナーパイプ５１内に流入された水Ｗは排水用開口５４および排水用出口４４を介して外部に排出されるようになっている。
【００４２】
図１および図３に示すようにこの構成の流路切替パイプＰ１における流入口４２がフィルターケーシング１内において上記循環ポンプ２の吐出口２２に連結固定されている。この連結状態において流路切替パイプＰ１は一端側（流入口４２側）が下方に位置し、かつ他端側（操作部５６側）が上方に位置するように垂直に配置されている。
【００４３】
さらにこの状態においては循環用出口４３よりも排水用出口４４が上方に配置されている。さらにこの排水用出口４４は平面視においてフィルターケーシング１内に配置されている。またフィルターケーシング１内に水Ｗが貯留された状態では、排水用出口４４は水面よりも上方に配置されている。換言すると、排水用出口４４は水中以外の位置に配置されている。
【００４４】
なお流路切替パイプＰ１における循環用出口４３は、平面視においてフィルターケーシング１内に配置されていれば良い。例えば循環用出口４３は水中に配置されていても良いし、水面上に配置されていても良い。
【００４５】
また本実施形態の水槽用フィルターＦ１においては、フィルターケーシング１の上端開口部を覆うようなカバー部材を着脱自在に取り付けるようにしても良い。
【００４６】
以上のように構成された本実施形態の水槽用フィルターＦ１においては、水槽Ａ内の水Ｗを濾過する本来の機能に加えて、水槽Ａの清掃や保守点検時に水替えを行う際に水槽Ａ内の水Ｗを排水する機能も備えている。
【００４７】
まず通常の濾過処理を行う場合には、必要に応じて流路切替パイプＰ１の操作部５６を操作して循環状態に設定して、流路切替パイプＰ１の循環用出口４３を開放し、かつ排水用出口４４を閉塞しておく。その状態で循環ポンプ２を駆動する。
【００４８】
これにより水槽Ａ内の水Ｗが導入パイプ３から吸い込まれて循環ポンプ２の吸引口２１から吸引される。循環ポンプ２内に吸引された水Ｗは吐出口２２から吐出されて流入口４２から流路切替パイプＰ１内に流入する。流路切替パイプＰ１内に流入した水Ｗは循環用出口４３から吐出されてフィルターケーシング１内に流入する。フィルターケーシング１内に流入した水Ｗは、濾過材１５を通過して濾過された後、フィルターケーシング１の切欠部１１をオーバーフローして掛止片１２上を流通して水槽Ａ内に戻される。
【００４９】
こうして水槽Ａ内の水Ｗはフィルターケーシング１内に導入されて濾過材１５を通過した後、水槽Ａ内に戻るように循環することによって、水槽Ａの水Ｗが濾過される。
【００５０】
ここで本実施形態においては、導入パイプ３、循環ポンプ２、流路切替パイプＰ１の流入口４２から循環用出口４３までの部分、フィルターケーシング１、濾過材１５、切欠部１１および掛止片１２の上面によって循環流路が形成されている。さらに導入パイプ３、循環ポンプ２、流路切替パイプＰ１の流入口４２から循環用出口４３までの部分によって、循環流路のうちの導入流路が構成されている。さらに切欠部１１および掛止片１２の上面によって、戻り流路が構成されている。従って本実施形態においては循環流路における循環ポンプ２よりも下流側に流路切替手段としての流路切替パイプＰ１が設けられている。さらに流路切替パイプＰ１の流入口４２および循環用出口４３は循環流路に対応して配置されるとともに、排水用出口４４は循環用出口４３（循環流路）に対し離間した位置に配置されている。
【００５１】
一方、排水処理を行う場合には、必要に応じて流路切替パイプＰ１の操作部５６を操作して排水状態に設定し、流路切替パイプＰ１の排水用出口４４を開放し、かつ循環用出口４３を閉塞する。さらに流路切替パイプＰ１の排水用出口４４のパイプ状ジョイント４４１に、排水ホース（図示省略）の一端を接続するとともに、その排水ホースの他端をバケツ等の所定の排水箇所に配置する。その状態で循環ポンプ２を駆動する。なお言うまでもなく循環ポンプ２を駆動したままの状態で、流路切替パイプＰ１を操作して濾過状態から排水状態に切り替えるようにしても良い。
【００５２】
この排水状態においては、水槽Ａ内の水Ｗが導入パイプ３から吸い込まれて循環ポンプ２の吸引口２１から吸引される。循環ポンプ２内に吸引された水Ｗは吐出口２２から吐出されて流入口４２から流路切替パイプＰ１内に流入する。流路切替パイプＰ１内に流入した水Ｗは排水用出口４４から吐出されて上記排水ホース等を介してバケツ等の所定の排水箇所に排出される。こうして水Ｗを所定量排出した後、所定量の水Ｗを新たに投入することにより、水替えを行うことができる。
【００５３】
このように本実施形態の水槽用フィルターＦ１においては、水替え時等の排水時に流路切替パイプＰ１の切替操作を行うというワンタッチ操作を行うだけで、水槽Ａ内の水Ｗを簡単かつスムーズに排出することができる。
【００５４】
さらにこの排水時においては、水槽Ａに予め設置されている導入パイプ３から水槽Ａ内の水Ｗを吸い込むようにしている。換言すれば、導入パイプ３は、水槽Ａ内に敷き詰められる小石、砂利、砂等の敷き材や、水槽Ａ内に設置される人工プランツ等の装飾部品を吸い込まない位置に予め設定されている。さらに導入パイプ３の下端には、異物の吸込を防止するためのストレーナ等が取り付けられている。このため本実施形態の水槽用フィルターＦ１によれば、排水時に敷き材や装飾部品を水と一緒に吸い込んで排出してレイアウトを崩してしまうような不具合を確実に防止でき、排水後（水替え後）にレイアウトを再調整するという面倒な作業も不要で、排水処理をより一層簡単に行うことができる。
【００５５】
また本実施形態の水槽用フィルターＦ１においては、排水時に導入パイプ３の下端から水槽Ａ内の水Ｗを吸い込んで排出するようにしているため、水槽Ａ内の水位が導入パイプ３の下端よりも低くなると、それ以上の排水を防止することができる。つまり水Ｗを必要以上に多く排出してしまうのを防止でき、水Ｗの排出量、ひいては入れ替え量を適正に保つことができ、水槽Ａ内の飼育栽培環境を良好に維持することができる。
【００５６】
また本実施形態の水槽用フィルターＦ１においては、従来のフィルター（濾過装置）に流路切替パイプＰ１等を取り付けて排水機構を付加するものであるため、従来の排水専用の排水装置（排水機構）を組み付ける場合と比較して、水槽周辺に排水機構設置用のスペースを確保する必要がない。従って省スペース化を図ることができるとともに、水槽回りの構造を簡素に仕上げることができ、水槽全体として良好な美観を得ることができる。
【００５７】
また本実施形態においては、流路切替パイプＰ１の排水用出口４４をフィルターケーシング１の水面上に配置しているため、濾過処理中に使用者が謝って排水状態に切り替えて水Ｗを流路切替パイプＰ１の排水用出口４４から吐出させてしまったとしても、排水用出口４４から吐出される水Ｗはフィルターケーシング１内に回収される。このため水Ｗが水槽Ａの外部に散乱してしまうような不具合も確実に防止することができる。
【００５８】
またこの第１実施形態の水槽用フィルターＦ１においては、循環ポンプ２の吐出口２２が流路切替パイプＰ１の流入口４１に閉管路で連結されているため、排水時には、循環ポンプ２の駆動力によって水Ｗを効率良くスムーズに排出することができる。
【００５９】
また本実施形態においては、流路切替パイプＰ１の排水用出口４４にパイプ状ジョイント４４１を取り付けているため（図４および図５参照）、そのパイプ状ジョイント４４１を介して排水用出口４４に排水ホース等を簡単かつ確実に接続することができ、利便性を向上させることができる。
【００６０】
さらに流路切替パイプＰ１の流入口４２および循環用出口４３にもパイプ状ジョイント４２１，４３１を取り付けているため（図４および図５参照）、上記と同様、そのパイプ状ジョイント４２１，４３１を介してホースやパイプ等を簡単かつ確実に接続することができる。
【００６１】
＜第２実施形態＞
図７はこの発明の第２実施形態である水槽用フィルターＦ２を示す斜視図である。同図に示すようにこの水槽用フィルターＦ２は、循環ポンプ２がフィルターケーシング１の外側において水槽Ａの内部に配置している点が、上記第１実施形態の水槽用フィルターＦ１と大きく相違する点である。
【００６２】
すなわちこの水槽用フィルターＦ２においては、流路切替パイプＰ２が水槽Ａの内部に内壁面に沿って垂直に配置されている。
【００６３】
図７および図８に示すようにこの第２実施形態で用いられる流路切替パイプＰ２は、アウターパイプ４１の循環用出口４３と排水用出口４４とがほぼ同じ高さ位置で１８０°位相をずらせた位置に配置されている。またインナーパイプ５１には、循環用開口および排水用開口を兼用する一つの開口５２がアウターパイプ４１の循環用出口４３および排水用出口４４に対応して形成されている。
【００６４】
そしてインナーパイプ５１がアウターパイプ４１内に軸回り方向（周方向）に回動自在に収容されて流路切替パイプＰ２が形成されている。この流路切替パイプＰ２においては、操作部５６をつまんで回転操作（切替操作）することによって、インナーパイプ５１の開口５２をアウターパイプ５１の循環用出口４３に対応させて配置し、かつインナーパイプ５１の周壁によってアウターパイプ５１の排水用出口４４を閉塞した状態では流入口４２が循環用出口４３に連通した循環状態となる。また切替操作によってインナーパイプ５１の開口５２をアウターパイプ５１の排水用出口４４に対応させて配置し、かつインナーパイプ５１の周壁によってアウターパイプ５１の循環用出口４３を閉塞した状態では流入口４２が排水用出口４４に連通した排水状態となる。
【００６５】
図７に示すようにこの流路切替パイプＰ２の流入口４２に、垂直に配置される第１導入パイプ３１の上端が連結されるとともに、その第１導入パイプ３１の下端が水中に配置されている。さらに流路切替パイプＰ２の循環用出口４３には、逆Ｌ字状の第２導入パイプ３２の一端（流入口）が連結されるとともに、その第２導入パイプ３２の他端（流出口）がフィルターケーシング１内に配置されている。
【００６６】
また第１導入パイプ３１の下端には、水槽Ａの水中に配置される電動式循環ポンプ２の吐出口２２が連結固定されている。従って第１導入パイプ３１を介して循環ポンプ２の吐出口２２が流路切替パイプＰ２の流入口４２に連結されている。
【００６７】
なおこの第２実施形態においては、流路切替パイプＰ２の排水用出口４４は、水槽Ａの水面上、つまりに水中以外の位置に配置されている。
【００６８】
この第２実施形態の水槽用フィルターＦ２において他の構成は、上記第１実施形態の水槽用フィルターＦ１と実質的に同様であるため、同一または相当部分に同一符号を付して重複説明は省略する。
【００６９】
この第２実施形態の水槽用フィルターＦ２において、循環状態（濾過状態）では循環ポンプ２の吸引口２１から吸い込まれた水槽内の水Ｗは、循環ポンプ２の吐出口２２から吐出されて第１導入パイプ３１を通って流入口４２から流路切替パイプＰ２内に流入する。流路切替パイプＰ２内に流入した水Ｗは、循環用出口４３から吐出されて第２導入パイプ３２内に導入されてフィルターケーシング１内に導入される。フィルターケーシング１内に導入された水Ｗは、濾過材１５を通過した後、切欠部１１をオーバーフローして水槽Ａ内に戻るようになっている。
【００７０】
ここで本実施形態においては、循環ポンプ２、第１導入パイプ３１、流路切替パイプＰ２の流入口４２から循環用出口４３までの部分、第２導入パイプ３２、フィルターケーシング１、濾過材１５、切欠部１１および掛止片１２の上面によって循環流路が形成されている。さらに循環流路のうち循環ポンプ２、第１導入パイプ３１、流路切替パイプＰ２および第２導入パイプ３２の流入口４２から循環用出口４３までの部分によって導入流路が構成されている。従って本実施形態においては循環流路における循環ポンプ２よりも下流側に流路切替手段としての流路切替パイプＰ２が設けられている。さらに流路切替パイプＰ１の流入口４２および循環用出口４３は循環流路に対応して配置されるとともに、排水用出口４４は循環用出口４３（循環流路）に対し離間した位置に配置されている。
【００７１】
一方、排水状態においては循環ポンプ２から吸い込まれた水Ｗは、第１導入パイプ３１および流路切替パイプＰ２を通って排水用出口４４から排出され、排水ホース（図示省略）等を介して所定の排水箇所に排出される。
【００７２】
この第２実施形態の水槽用フィルターＦ２においても、上記第１実施形態の水槽用フィルターＦ１と同様の効果を得ることができる。
【００７３】
さらにこの水槽用フィルターＦ２においては、流路切替パイプＰ２の排水用出口４４が水槽Ａの水面上に配置されているため、濾過処理中に謝って排水状態に切り替えてしまったとしても、流路切替パイプＰ２の排水用出口４４から排出される水Ｗは水槽Ａ内に戻される。このため上記第１実施形態と同様、水Ｗが水槽Ａの外部に散乱してしまうような不具合も確実に防止することができる。
【００７４】
＜第３実施形態＞
図９はこの発明の第３実施形態である水槽用フィルターＦ３を示す斜視図、図１０はその水槽用フィルターＦ３を示す正面断面図である。両図に示すようにこの水槽用フィルターＦ３は、観賞魚用水槽Ａの上端に載置されるように取り付けられる上部設置型のフィルター、いわゆる上部フィルターと称されるものである。この水槽用フィルターＦ３は、水槽Ａにおける上端開口部の後部を閉塞するように、水槽周側壁上端に支持されるフィルターケーシング１を備えている。
【００７５】
フィルターケーシング１の内部には、濾過室１６と、下流室１７とが設けられており、濾過室１６内には濾過材１５が収容されている。濾過室１６と下流室１７とを仕切っている仕切壁１８にはその下端に通水孔１８１が形成されており、その通水孔１８１を介して濾過室１６内の水Ｗが下流室１７に流入するようになっている。
【００７６】
下流室１７に対応して、フィルターケーシング１の底壁には戻りパイプ１３が上下に貫通する態様に取り付けられている。この戻りパイプ１３の下端は水槽Ａの水面上に対応して配置されている。これにより下流室１７の水Ｗが所定量以上貯留した際に、その水Ｗが戻りパイプ１３の上端をオーバーフローして戻りパイプ１３内に流入して戻りパイプ１３を流下して水槽Ａ内に戻るようになっている。
【００７７】
フィルターケーシング１の上流側端部における底壁には直線上の導入パイプ３が貫通状態に取り付けられており、上端がフィルターケーシング１の内部に配置されている。
【００７８】
導入パイプ３の下端には電動式循環ポンプ２の吐出口２２が連結固定されて、循環ポンプ２の吸引口２１を含む全体が水槽Ａの水中に配置されるようになっている。
【００７９】
導入パイプ３の上端には、流路切替パイプＰ３の流入口４２が連結固定されている。流路切替パイプＰ３は垂直に配置されており、その循環用出口４３が濾過室１６に対応して配置されるとともに、排水用出口４４が循環用出口４３の上方において濾過室１６の水面上（水中以外の位置）に配置されている。
【００８０】
なお本第３実施形態に用いられる流路切替パイプＰ３は、上記第１実施形態に用いられた流路切替パイプＰ１と実質的に同じ構成を有している。すなわち操作部５６を適宜操作することによって、流入口４２から流入される水Ｗを循環用出口４３から流出させる循環状態（濾過状態）と、流入口４２から流入される水Ｗを排水用出口４４から流出させる排水状態との間で切替可能に構成されている。
【００８１】
この第３実施形態の水槽用フィルターＦ３において他の構成は、上実施形態の水槽用フィルターＦ１，Ｆ２と実質的に同様であるため、同一または相当部分に同一符号を付して重複説明は省略する。
【００８２】
この水槽用フィルターＦ３において通常の濾過処理を行う場合には、流路切替パイプＰ３を循環状態に設定しておけば良い。これにより循環ポンプ２の吸引口２１から吸い込まれた水槽Ａ内の水Ｗは、循環ポンプ２の吐出口２２から吐出されて導入パイプ３内に導入される。導入パイプ３内に導入された水Ｗは、流路切替パイプＰ３の流入口４２から流入して循環用出口４３から流出する。循環用出口４３から流出した水Ｗは濾過室１６に導入され、濾過材１５を通過して濾過された後、仕切壁１８の通水孔１８１を通って下流室１７に導入される。下流室１７に導入された水Ｗは戻りパイプ１３にその上端からオーバーフローして導入されて、戻りパイプ１３を通って水槽Ａ内に戻される。このように水Ｗを水槽ＡとフィルターＦ３との間で循環させて水槽Ａ内の水Ｗを順次濾過するようにしている。
【００８３】
ここで本第３実施形態においては、循環ポンプ２、導入パイプ３、流路切替パイプＰ３の流入口４２から循環用出口４３までの部分、フィルターケーシング１（濾過材１５、濾過室１６および下流室１７）、戻りパイプ１３によって循環流路が形成されている。さらに循環ポンプ２、導入パイプ３および切替流路パイプＰ３の流入口４２から循環用出口４３までの部分によって導入流路が形成されている。さらに戻りパイプ１３によって戻り流路が構成されている。従って本実施形態においては循環流路における循環ポンプ２よりも下流側に流路切替手段としての流路切替パイプＰ３が設けられている。さらに流路切替パイプＰ１の流入口４２および循環用出口４３は循環流路に対応して配置されるとともに、排水用出口４４は循環用出口４３（循環流路）に対し離間した位置に配置されている。
【００８４】
一方、水替え等のために排水処理を行う場合には、流路切替パイプＰ３を排水状態に設定すれば良い。これにより循環ポンプ２に吸い込まれた水槽Ａ内の水Ｗは、導入パイプ３を介して流路切替パイプＰ３に流入して排水用出口４４から排出される。排水用出口４４から排出される水Ｗは、排水用出口４４に連結された排水ホース（図示省略）等を介してバケツ等の所定の排水箇所に排出される。
【００８５】
この第３実施形態の水槽用フィルターＦ３においても、上記実施形態と同様、排水時には流路切替パイプＰ３を操作するだけで簡単に、水槽Ａ内の水を所定箇所に排出することができる。さらに上記実施形態と同様、循環ポンプ２の吸引口２１が所定の高さ位置に配置されるとともに、吸込口２１にストレーナ（図示省略）が取り付けられているため、排水時に水槽Ａ内の敷き材や装飾部品を不本意にも吸い込んでしまいレイアウトを崩してしまうような不具合も確実に防止することができる。
【００８６】
さらに上記実施形態と同様、排水時に水Ｗを必要以上に排出してしまうような不具合も確実に防止することができる。
【００８７】
またこの第３実施形態においても上記実施形態と同様、排水専用の排水装置を別途設ける必要がなく、省スペース化を図ることができるとともに、水槽回りの構成を簡素に仕上げることができる。
【００８８】
さらに上記実施形態と同様に、流路切替パイプＰ３の排水用出口４４をフィルターケーシング１の濾過室１６の水面上に配置しているため、濾過処理中に使用者が謝って排水状態に切り替えて水Ｗを流路切替パイプＰ１の排水用出口４４から吐出させてしまったとしても、排水用出口４４から吐出される水Ｗはフィルターケーシング１内に回収され、水Ｗが水槽Ａの外部等に散乱してしまうような不具合も確実に防止することができる。
【００８９】
特にこの第３実施形態の水槽用フィルターＦ３においては、より一層排水処理を簡単に行うことができる。すなわちこの第３実施形態の水槽用フィルターＦ３のような上部フィルターは、水槽Ａの上端開口部の一部を閉塞するように配置されている。このため従来の上部フィルターは、排水処理を行う際の妨げになることが多く、排水作業を確実に行うには上部フィルター自体を取り外さなければならない場合があり、一段と排水処理が面倒になってしまう。
【００９０】
これに対し本実施形態の水槽用フィルターＦ３は、流路切替パイプＰ３を切替操作するだけで簡単に排水処理を行うことができ、排水を行う際に水槽用フィルターＦ３を取り外すような面倒な作業が一切必要なく、より一層排水処理を簡単かつスムーズに行うことができる。
【００９１】
またこの第３実施形態の水槽用フィルターＦ３においても、上記第１および第２実施形態と同様、循環ポンプ２の吐出口２２が流路切替パイプＰ１の流入口４１に閉管路で連結されているため、排水時には、循環ポンプ２の駆動力によって水Ｗを効率良くスムーズに排出することができる。
【００９２】
なおこの実施形態の水槽用フィルターＦ３においても、フィルターケーシング１の上端開口部を覆うようなカバー部材を着脱自在に取り付けるようにしても良い。
【００９３】
＜第４実施形態＞
図１１はこの発明の第４実施形態である水槽用フィルターＦ４を示す正面断面図である。同図に示すようにこの水槽用フィルターＦ４は、流路切替パイプＰ４が戻りパイプ１３の下端に取り付けられている点が、上記第３実施形態の水槽用フィルターＦ３と大きく相違する点である。
【００９４】
すなわちこの第４実施形態の水槽用フィルターＦ４において、戻りパイプ１３の下端部は水平方向に屈曲されている。その戻りパイプ１３の屈曲端部開口に流路切替パイプＰ４の流入口４２が連結固定されて、流路切替パイプＰ４が水平に配置されている。この流路切替パイプＰ４は、上記第１実施形態の流路切替パイプＰ１と実質的に同様な構成を備えている。すなわち循環状態に設定されている場合には、流路切替パイプＰ４の流入口４２から流入した水Ｗは循環用出口４３から流出する一方、排水状態に設定されている場合には水Ｗは排水用出口４４から流出するようになっている。
【００９５】
またフィルターケーシング１の上流側において底壁を貫通する態様に配置される導入パイプ３の下端には、水中に配置される循環ポンプ２の吐出口２２が連結固定されている。さらに導入パイプ３の上端部は水平方向に屈曲されてその屈曲端部開口がフィルターケーシング１内における濾過室１６に対応して配置されている。
【００９６】
この第４実施形態の水槽用フィルターＦ４において他の構成は、上記第３実施形態の水槽用フィルターＦ３と実質的に同様であるため、同一または相当部分に同一符号を付して重複説明は省略する。
【００９７】
この第４実施形態の水槽用フィルターＦ４において、流路切替パイプＰ４が循環状態（濾過状態）に設定されている場合には、循環ポンプ２から吸引された水槽Ａ内の水Ｗは、導入パイプ３を通ってフィルターケーシング１の濾過室１６に流入する。さらに濾過室１６内の水Ｗは下流室１７に流入してオーバーフローにより戻りパイプ１３内に流入して流路切替パイプＰ４内に流入する。流路切替パイプＰ４内に流入した水Ｗは循環用出口４３から水槽Ａ内に戻される。
【００９８】
ここで本第４実施形態においては、循環ポンプ２、導入パイプ３、フィルターケーシング１（濾過材１５、濾過室１６、下流室１７）、戻りパイプ１３および流路切替パイプＰ３の流入口４２から循環用出口４３までの部分によって循環流路が形成されている。さらに循環ポンプ２および導入パイプ３によって導入流路が形成されている。さらに戻りパイプ１３および切替流路パイプＰ３の流入口４２から循環用出口４３までの部分によって戻り流路が構成されている。従って本実施形態においては循環流路における循環ポンプ２よりも下流側に流路切替手段としての流路切替パイプＰ４が設けられている。さらに流路切替パイプＰ１の流入口４２および循環用出口４３は循環流路に対応して配置されるとともに、排水用出口４４は循環用出口４３（循環流路）に対し離間した位置に配置されている。
【００９９】
一方、流路切替パイプＰ４が排水状態に設定されると、循環ポンプ２から吸い込まれた水槽Ａ内の水Ｗは、導入パイプ３、フィルターケーシング１の濾過室１６、下流室１７および戻りパイプ１３を通って流路切替パイプＰ４内に流入して、排水用出口４４から排出される。排水用出口４４から排出される水Ｗは、排水用出口４４に連結された排水ホース（図示省略）等を介してバケツ等の所定の排水箇所に排出される。
【０１００】
この第４実施形態の水槽用フィルターＦ４においても、上記第３実施形態等と同様の効果を奏する。
【０１０１】
なお本第４実施形態の水槽用フィルターＦ４においては、流路切替パイプＰ４の排水用出口４４が水槽Ａの水面上に配置されているため、切替操作ミス等によって排水用出口４４から流出する水Ｗは、フィルターケーシング１ではなく、水槽Ａ内に回収されるようになっている。
【０１０２】
＜変形例＞
本発明においては、流路切替手段としての流路切替パイプの構成は上記実施形態のものに限定されるものではなく、例えば以下に示す流路切替パイプＰ５〜Ｐ９を用いることができる。
【０１０３】
すなわち図１２に示す第１変形例の流路切替パイプＰ５は、アウターパイプ４１の周壁に、上記第１実施形態と同様に軸心方向に並んで循環用出口４３および排水用出口４４が形成されるとともに、アウターパイプ４１の端部に流入口４２が形成されている。このアウターパイプ４１内にインナーパイプ５１が軸心方向にスライド自在に挿入されており、インナーパイプ５１には循環および排水兼用の一つの開口５２が形成されている。そしてこの流路切替パイプＰ５においては、インナーパイプ５１をアウターパイプ４１に対し軸心方向に沿ってスライド操作して、同図（ａ）に示すようにインナーパイプ５１の開口５２をアウターパイプ４１の循環用出口４３に対応させることによって、流入口４２から流入した水Ｗを循環用出口４３から流出させるようにした循環状態と、同図（ｂ）に示すようにインナーパイプ５１の開口５２をアウターパイプ４１の排水用出口４４に対応させることによって、流入口４２から流入した水Ｗを排水用出口４４から流出させるようにした排水状態との間で切替可能に構成されている。
【０１０４】
なおこの流路切替パイプＰ５においては、インナーパイプ５１をアウターパイプ４１に対し単に軸心方向にスライドさせるようにしているが、それだけに限られず、例えばインナーパイプ５１の外周面に雄ねじを形成するとともに、アウターパイプ４１の内周面に雌ねじを形成しておき、インナーパイプ５１をアウターパイプ４１にねじ込んで取り付けるようにしても良い。そしてインナーパイプ５１をアウターパイプ４１に対しねじ込み操作（回転操作）することによって軸心方向にスライドさせて、循環用出口４３および排水用出口４４を適宜開閉できるようにしても良い。
【０１０５】
また図１３に示す第２変形例の流路切替パイプＰ６は、アウターパイプに相当するパイプ本体４１の周壁に、上記第１変形例と同様に軸心方向に並んで循環用出口４３および排水用出口４４が形成されるとともに、パイプ本体４１の端部に流入口４２が形成されている。このパイプ本体４１内に軸心に沿って軸部材６１が軸心回りに回転自在に収容されている。この軸部材６１はパイプ本体４１の端部閉塞壁を貫通して、軸部材６１の端部が外部に配置されるとともに、その外端部に操作部５６が設けられている。さらに軸部材６１にはパイプ本体４１の循環用出口４３を閉塞可能な循環用出口閉塞弁６３が設けられるとともに、排水用出口４４を閉塞可能な排水用出口閉塞弁６４が、上記循環用出口閉塞弁６３に対し１８０°位相をずらせた位置に設けられている。そしてこの流路切替パイプＰ６においては、操作部５６をつまんで軸部材６１を回転操作して、同図（ａ）に示すように循環用出口４３に対し循環用出口閉塞弁６３の位置をずらせて循環用出口４３を開放し、かつ排水用出口４４を排水用出口閉塞弁６４によって閉塞することによって、流入口４２から流入した水Ｗを循環用出口４３から流出させるようにした循環状態と、同図（ｂ）に示すように循環用出口４３を循環用出口閉塞弁６３によって閉塞し、かつ排水用出口４４に対し排水用出口閉塞弁６４の位置をずらせて排水用出口４４を開放することによって、流入口４２から流入した水Ｗを排水用出口４４から流出させるようにした排水状態との間で切替可能に構成されている。
【０１０６】
また図１４に示す第３変形例の流路切替パイプＰ７は、アウターパイプに相当するパイプ本体４１の周壁に、上記第２実施形態と同様に循環用出口４３および排水用出口４４が同じ高さ位置で軸回り方向（周方向）に１８０°位相をずらせて形成されるとともに、パイプ本体４１の端部に流入口４２が形成されている。このパイプ本体４１内に軸部材６１が軸心回りに回転自在に収容されている。この軸部材６１はパイプ本体４１の端部閉塞壁を貫通して、軸部材６１の端部が外部に配置されるとともに、その外端部に操作部５６が設けられている。さらに軸部材６１にはパイプ本体４１の循環用出口４３および排水用出口４４を閉塞可能な１つの出口閉塞弁６２が設けられている。そしてこの流路切替パイプＰ７においては、操作部５６をつまんで軸部材６１を回転操作して、同図（ａ）に示すように循環用出口４３に対し出口閉塞弁６２の位置をずらせて循環用出口４３を開放し、かつ排水用出口４４を出口閉塞弁６２によって閉塞することによって、流入口４２から流入した水Ｗを循環用出口４３から流出させるようにした循環状態と、同図（ｂ）に示すように循環用出口４３を出口閉塞弁６２によって閉塞し、かつ排水用出口４４に対し出口閉塞弁６２の位置をずらせて排水用出口４４を開放することによって、流入口４２から流入した水Ｗを排水用出口４４から流出させるようにした排水状態との間で切替可能に構成されている。
【０１０７】
また図１５に示す第４変形例の流路切替パイプＰ８は、アウターパイプに相当するパイプ本体４１の周壁に、上記第１実施形態と同様に循環用出口４３および排水用出口４４が軸心方向に並んで形成されるとともに、パイプ本体４１の端部に流入口４２が形成されている。このパイプ本体４１内に軸部材６１が軸心方向にスライド自在に収容されている。この軸部材６１はパイプ本体４１の端部閉塞壁を貫通して、軸部材６１の端部が外部に配置されるとともに、その外端部に操作部５６が設けられている。さらに軸部材６１にはパイプ本体４１の循環用出口４３および排水用出口４４を閉塞可能な１つの出口閉塞弁６２が設けられている。そしてこの流路切替パイプＰ８においては、操作部５６をつまんで軸部材６１をスライド操作して、同図（ａ）に示すように循環用出口４３に対し出口閉塞弁６２の位置をずらせて循環用出口４３を開放し、かつ排水用出口４４を出口閉塞弁６２によって閉塞することによって、流入口４２から流入した水Ｗを循環用出口４３から流出させるようにした循環状態と、同図（ｂ）に示すように循環用出口４３を出口閉塞弁６２によって閉塞し、かつ排水用出口４４に対し出口閉塞弁６２の位置をずらせて排水用出口４４を開放することによって、流入口４２から流入した水Ｗを排水用出口４４から流出させるようにした排水状態との間で切替可能に構成されている。
【０１０８】
この第４変形例の流路切替パイプＰ８においては、軸部材６１をパイプ本体４１に対し単に軸心方向にスライドさせるようにしているが、それだけに限られず、例えば軸部材６１におけるパイプ本体４１の端部閉塞壁に対する貫通部外周面に雄ねじを形成するとともに、パイプ本体４１の端部閉塞壁の貫通孔内周面に雌ねじを形成しておき、軸部材６１をパイプ本体４１にねじ込んで取り付けるようにしても良い。そして軸部材６１をパイプ本体４１に対しねじ込み操作（回転操作）することによって軸心方向にスライドさせて、循環用出口４３および排水用出口４４を適宜開閉できるようにしても良い。
【０１０９】
また図１６に示す第５変形例の流路流路切替パイプＰ９は、パイプ本体４１の一端に流入口４２が形成されている。さらにこのパイプ本体４１の他端側は二股に分岐されて一方側の分岐管に循環用出口４３が設けられるとともに、他方側の分岐管に排水用出口４４が形成されている。さらに循環用出口４３を有する一方側の分岐管に循環用出口開閉弁６３が取り付けられるとともに、排水用出口４４を有する他方側の分岐管に排水用出口開閉弁６４が取り付けられている。そしてこの流路切替パイプＰ９においては、循環用出口開閉弁６３を開いて排水用出口開閉弁６４を閉じることにより、流入口４２から流入した水Ｗを循環用出口４３から流出させるようにした循環状態と、循環用出口開閉弁６３を閉じて排水用出口開閉弁６４を開くことにより、流入口４２から流入した水Ｗを排水用出口４４から流出させるようにした排水状態との間で切替可能に構成されている。
【０１１０】
また本発明においては、流路切替パイプの流入口４２、循環用出口４３および排水用出口４４の形成位置は特に限定されるものではなく、例えば流入口をアウターパイプの周壁に形成するようにしても良く、循環用出口や排水用出口をアウターパイプの端部閉塞壁に形成するようにしても良い。さらに本発明においては、流入口、循環用出口および排水用出口の相対的な位置関係も特に限定されるものではなく、流入口を循環用出口および排水用出口間に形成するようにしても良いし、排水用出口を循環用出口の上方に形成するようにしても良い。
【０１１１】
また上記実施形態においては、本発明を水槽Ａの側壁に掛止して取り付ける外掛けフィルターＦ１，Ｆ２と、水槽Ａの上部に載置するように取り付ける上部フィルターＦ３，Ｆ４とに適用した場合を例に挙げて説明したが、それだけに限られず、本発明は水槽Ａにフィルターケーシングが支持される水槽用フィルターであれば、どのようなフィルターにも適用することができる。
【０１１２】
さらに本発明においては、水槽用フィルターを水槽に支持する支持手段としては、どのような支持手段でも採用することができる。
【０１１３】
また本発明においては、流路切替パイプＰ１〜Ｐ９の排水用出口４４に着脱自在な閉塞栓を設けておき、排水時等の必要時のみに排水用出口４４を開放するようにしても良い。
【産業上の利用可能性】
【０１１４】
この発明の水槽用フィルターは、一般家庭等で用いられる観賞魚用水槽等の水槽における水の濾過用として適用することができる。
【符号の説明】
【０１１５】
１：フィルターケーシング
１２：掛止片（戻り流路）
１５：濾過材
２：循環ポンプ
２１：吸引口
２２：吐出口
３：導入パイプ
４２：流入口
４３：循環用出口
４４：排水用出口
４４１：パイプ状ジョイント
Ａ：水槽
Ｆ１〜Ｆ４：水槽用フィルター
Ｐ１〜Ｐ９：流路切替パイプ（流路切替手段）
Ｗ：水
【図１】
0006454633.tif 000002
【図２】
0006454633.tif 000003
【図３】
0006454633.tif 000004
【図４】
0006454633.tif 000005
【図５】
0006454633.tif 000006
【図６】
0006454633.tif 000007
【図７】
0006454633.tif 000008
【図８】
0006454633.tif 000009
【図９】
0006454633.tif 000010
【図１０】
0006454633.tif 000011
【図１１】
0006454633.tif 000012
【図１２】
0006454633.tif 000013
【図１３】
0006454633.tif 000014
【図１４】
0006454633.tif 000015
【図１５】
0006454633.tif 000016
【図１６】
0006454633.tif 000017